(57)【要約】【課題】複数の半導体チップの温度を均一にすることができる半導体モジュールを提供する。【解決手段】列をなして配置された複数の半導体チップ、を備え、複数の半導体チップは、他の半導体チップとの距離の合計値が小さい半導体チップほど、他の半導体チップから伝播される熱量による温度上昇の抑制量が大きくなるように構成した。このように構成された半導体モジュールにおいては、複数の半導体チップの温度上昇が均一となる。その結果、複数の半導体チップの温度が均一となる。【選択図】図１
2011243808.tif 000002
【特許請求の範囲】
【請求項１】
列をなして配置された複数の半導体チップ、
を備え、
前記複数の半導体チップは、他の半導体チップとの距離の合計値が小さい半導体チップほど、他の半導体チップから伝播される熱量による温度上昇の抑制量が大きいことを特徴とする半導体モジュール。
【請求項２】
前記複数の半導体チップを一面に配置させたベース体と、
前記ベース体の他面側に配置され、前記他の半導体チップとの距離の合計値が小さい半導体チップほど、強力に冷却する冷却装置と、
を備えたことを特徴とする請求項１記載の半導体モジュール。
【請求項３】
前記冷却装置は、
前記ベース体の他面側に配置され、前記ベース体を均一に冷却する第１冷却層と、
前記第１冷却層の前記ベース体とは反対側に配置され、前記他の半導体チップとの距離の合計値が小さい半導体チップほど、強力に冷却する第２冷却層と、
を備えたことを特徴とする請求項２記載の半導体モジュール。
【請求項４】
前記複数の半導体チップは、３個の半導体チップが列をなして配置され、
前記第２冷却層は、前記３個の半導体チップのうちの両側の半導体チップへの近接を避けた状態で中央の半導体チップに近接して配置されたことを特徴とする請求項３記載の半導体モジュール。
【請求項５】
前記複数の半導体チップは、前記３個の半導体チップの列が２列形成され、
前記第２冷却層は、前記２列の一方の中央に配置された半導体チップ近傍と前記２列の他方の中央に配置された半導体チップ近傍との間を行き来するように蛇行して形成され、内部を流れる冷媒で前記２列の一方の中央に配置された半導体チップと前記２列の他方の中央に配置された半導体チップとを冷却することを特徴とする請求項４記載の半導体モジュール。
【請求項６】
前記第１冷却層は、前記ベース体の一縁部近傍と他縁部近傍との間を行き来するように蛇行して形成され、内部に流れる冷媒で前記２列の一方に配置された３個の半導体チップと前記２列の他方に配置された３個の半導体チップとを冷却することを特徴とする請求項３〜請求項５のいずれかに記載の半導体モジュール。
【請求項７】
前記複数の半導体チップは、前記他の半導体チップとの距離の合計値が小さい半導体チップほど、前記冷却装置に近接して配置され、
前記ベース体は、前記複数の半導体チップの各々と前記冷却装置との距離に応じて形成された段差の底面に前記複数の半導体チップを配置させたことを特徴とする請求項２記載の半導体モジュール。
【請求項８】
前記複数の半導体チップは、前記他の半導体チップとの距離の合計値が小さい半導体チップほど、熱容量が大きいことを特徴とする請求項１記載の半導体モジュール。
【請求項９】
前記複数の半導体チップを一面に配置させ、隣接した半導体チップの間にスリットが形成されたベース体、
を備えたことを特徴とする請求項１記載の半導体モジュール。
【請求項１０】
列をなして配置された複数の半導体チップと、
前記複数の半導体チップに電圧を供給する電源端子と、
前記電源端子間で前記複数の半導体チップの各々に直列に接続された複数の抵抗と、
を備え、
前記複数の抵抗は、他の半導体チップとの距離の合計値が小さい半導体チップに接続された抵抗ほど、抵抗値が大きいことを特徴とする半導体モジュール。
【請求項１１】
同心円状に均等間隔で配置された複数の半導体チップと、
環状に形成され、環状の一面に前記複数の半導体チップを配置させたベース体と、
を備えたことを特徴とする半導体モジュール。
【請求項１２】
同心円状に均等間隔で配置された複数の半導体チップと、
前記複数の半導体チップの数に応じた数の外縁部を有するように多角形状に形成され、各外縁部近傍の一面に前記複数の半導体チップの各々を配置させたベース体と、
を備えたことを特徴とする半導体モジュール。
【発明の詳細な説明】
【技術分野】
【０００１】
この発明は、複数の半導体チップが配置された半導体モジュールに関するものである。
【背景技術】
【０００２】
従来の半導体モジュールにおいては、長方形又は正方形のベース板の一面に複数の半導体チップが列をなして配置される（例えば、特許文献１参照）。
【先行技術文献】
【特許文献】
【０００３】
【特許文献１】特開２００３−３０３９２７号公報
【０００４】
この半導体モジュールに通電すると、各半導体チップが発熱する。この発熱により、各半導体チップの間では、熱干渉が発生する。ここで、ベース板端部側の半導体チップは、発熱源となる他の半導体チップにベース板中央側のみで隣接している。
【発明の概要】
【発明が解決しようとする課題】
【０００５】
しかしながら、ベース板中央の半導体チップは、発熱源となる他の半導体チップに両側から挟まれた状態となる。このため、上記従来の半導体モジュールでは、ベース板端部側の半導体チップの温度よりもベース板中央の半導体チップの温度の方が高くなり易い。
【０００６】
この発明は、上述のような課題を解決するためになされたもので、その目的は、複数の半導体チップの温度を均一にすることができる半導体モジュールを提供することである。
【課題を解決するための手段】
【０００７】
この発明に係る半導体モジュールは、列をなして配置された複数の半導体チップ、を備え、前記複数の半導体チップは、他の半導体チップとの距離の合計値が小さい半導体チップほど、他の半導体チップから伝播される熱量による温度上昇の抑制量が大きいものである。
【０００８】
また、この発明に係る半導体モジュールは、列をなして配置された複数の半導体チップと、前記複数の半導体チップに電圧を供給する電源端子と、前記電源端子間で前記複数の半導体チップの各々に直列に接続された複数の抵抗と、を備え、前記複数の抵抗は、他の半導体チップとの距離の合計値が小さい半導体チップに接続された抵抗ほど、抵抗値が大きいものである。
【０００９】
また、この発明に係る半導体モジュールは、同心円状に均等間隔で配置された複数の半導体チップと、環状に形成され、環状の一面に前記複数の半導体チップを配置させたベース体と、を備えたものである。
【００１０】
また、この発明に係る半導体モジュールは、同心円状に均等間隔で配置された複数の半導体チップと、前記複数の半導体チップの数に応じた数の外縁部を有するように多角形状に形成され、各外縁部近傍の一面に前記複数の半導体チップの各々を配置させたベース体と、を備えたものである。
【発明の効果】
【００１１】
これらの発明によれば、複数の半導体チップの温度を均一にすることができる。
【図面の簡単な説明】
【００１２】
【図１】この発明の実施の形態１における半導体モジュールの平面図である。
【図２】この発明の実施の形態１における半導体モジュールの冷却装置の縦断面図である。
【図３】この発明の実施の形態２における半導体モジュールの冷却装置の縦断面図である。
【図４】この発明の実施の形態３における半導体モジュールの縦断面図である。
【図５】この発明の実施の形態３における半導体モジュールの平面図である。
【図６】この発明の実施の形態４における半導体モジュールの平面図である。
【図７】この発明の実施の形態５における半導体モジュールの平面図である。
【図８】この発明の実施の形態６における半導体モジュールの平面図である。
【図９】この発明の実施の形態６における半導体モジュールに利用されるＩＧＢＴチップ近傍の回路図の第１例である。
【図１０】この発明の実施の形態６における半導体モジュールに利用されるＩＧＢＴチップ近傍の回路図の第２例である。
【図１１】この発明の実施の形態７における半導体モジュールの平面図である。
【図１２】この発明の実施の形態８における半導体モジュールの平面図である。
【発明を実施するための形態】
【００１３】
この発明を実施するための形態について添付の図面に従って説明する。なお、各図中、同一又は相当する部分には同一の符号を付しており、その重複説明は適宜に簡略化ないし省略する。
【００１４】
実施の形態１．
図１はこの発明の実施の形態１における半導体モジュールの平面図である。
図１において、１はベース体である。このベース体１は、電極板からなる。このベース体１は、水平投影面上で略長方形に形成される。このベース体１の一面は平面となっている。このベース体１の一面には、複数のＩＧＢＴ（Ｉｎｓｕｌａｔｅｄ  Ｇａｔｅ  Ｂｉｐｏｌａｒ  Ｔｒａｎｓｉｓｔｏｒ）チップ２ａ〜２ｆが配置される。具体的には、ベース体１の長縁部の一方に沿って、３個のＩＧＢＴチップ２ａ〜２ｃが均等間隔で一列に並んで配置される。また、ベース体１の長縁部の他方に沿って、３個のＩＧＢＴチップ２ｄ〜２ｆが均等間隔で一列に並んで配置される。さらに、各ＩＧＢＴチップ２ａ〜２ｆのベース体１内側には、ダイオードチップ３ａ〜３ｆが配置される。
【００１５】
ベース体１の他面は一面と平行となっている。このベース体１の他面側には、冷却装置４が配置される。この冷却装置４は、水平投影面上で略長方形に形成される。この冷却装置４は、水平投影面上でベース体１全体が重なるように配置される。この冷却装置４のＩＧＢＴチップ２ｄ〜２ｆ側長縁部の一側には、冷媒の入口５が設けられる。一方、この冷却装置４のＩＧＢＴチップ２ｄ〜２ｆ側長縁部の他側には、冷媒の出口６が設けられる。なお、本実施の形態においては、冷媒として冷却水が利用される。
【００１６】
次に、半導体モジュールに通電したときの各ＩＧＢＴチップ２ａ〜２ｆの温度について説明する。
半導体モジュールに通電すると、各ＩＧＢＴチップ２ａ〜２ｆが発熱する。この発熱により、各ＩＧＢＴチップ２ａ〜２ｆの間では、熱干渉が発生する。すなわち、ＩＧＢＴチップ２ａ〜２ｆが発した熱は、ベース体１を介して他のＩＧＢＴチップに伝播される。このため、ＩＧＢＴチップ２ａ〜２ｆは、自らの発熱と他のＩＧＢＴチップから伝播される熱によって温度を上昇させる。
【００１７】
本実施の形態においては、ＩＧＢＴチップ２ａ〜２ｆは、同じ種類のものである。そして、全てのＩＧＢＴチップ２ａ〜２ｆには、同じ値の電圧がかかる。この電圧により、全てのＩＧＢＴチップ２ａ〜２ｆには、同じ値の電流が流れる。従って、各ＩＧＢＴチップ２ａ〜２ｆにおいては、自らの発熱量は同等である。
【００１８】
一方、各ＩＧＢＴチップ２ａ〜２ｆから伝播される熱量は、ベース体１の伝播距離に応じて減少する。このため、他のＩＧＢＴチップとの距離の合計値が最も小さいＩＧＢＴチップほど、他のＩＧＢＴチップから伝播される熱量が大きくなる。すなわち、他のＩＧＢＴチップとの距離の合計値が小さいＩＧＢＴチップほど、熱干渉による温度の上昇量が大きくなりやすい。
【００１９】
ここで、各ＩＧＢＴチップ２ａ〜２ｆと他のＩＧＢＴチップとの距離の合計値を求める。
図１に示すように、隣接したＩＧＢＴチップ２ａ、２ｂ等の間隔はＡである。また、ＩＧＢＴチップ２ａ〜２ｃの列とＩＧＢＴチップ２ｄ〜２ｆの列との間隔はＢである。
【００２０】
まず、ＩＧＢＴチップ２ａと他のＩＧＢＴチップ２ｂ〜２ｆとの距離の合計値Ｘを求める。ＩＧＢＴチップ２ａと他のＩＧＢＴチップ２ｂ〜２ｆとの距離は、それぞれ、Ａ、２Ａ、Ｂ、（Ａ２＋Ｂ２）１／２、（４Ａ２＋Ｂ２）１／２である。従って、ＩＧＢＴチップ２ａと他のＩＧＢＴチップ２ｂ〜２ｆとの距離の合計値Ｘは、３Ａ＋Ｂ＋（Ａ２＋Ｂ２）１／２＋（４Ａ２＋Ｂ２）１／２となる。
【００２１】
なお、ＩＧＢＴチップ２ａ〜２ｆの配置の対称性から、ＩＧＢＴチップ２ｃと他のＩＧＢＴチップ２ａ、２ｂ、２ｄ〜２ｆとの距離の合計値もＸとなる。また、ＩＧＢＴチップ２ｄと他のＩＧＢＴチップ２ａ〜２ｃ、２e、２ｆとの距離の合計値もＸとなる。さらに、ＩＧＢＴチップ２ｆと他のＩＧＢＴチップ２ａ〜２ｅとの距離の合計値もＸとなる。
【００２２】
次に、ＩＧＢＴチップ２ｂと他のＩＧＢＴチップ２ａ、２ｃ、２ｄ〜２ｆとの距離の合計値Ｙを求める。ＩＧＢＴチップ２ｂと他のＩＧＢＴチップ２ａ、２ｃ、２ｄ〜２ｆとの距離は、それぞれ、Ａ、Ａ、（Ａ２＋Ｂ２）１／２、Ｂ、（Ａ２＋Ｂ２）１／２である。従って、ＩＧＢＴチップ２ｂと他のＩＧＢＴチップ２ａ、２ｃ、２ｄ〜２ｆとの距離の合計値Ｙは、２Ａ＋Ｂ＋２（Ａ２＋Ｂ２）１／２となる。
【００２３】
なお、ＩＧＢＴチップ２ａ〜２ｆの配置の対称性から、ＩＧＢＴチップ２ｅと他のＩＧＢＴチップ２ａ〜２ｄ、２ｆとの距離の合計値もＹとなる。
【００２４】
ここで、Ｘ−Ｙ＝Ａ＋（４Ａ２＋Ｂ２）１／２−（Ａ２＋Ｂ２）１／２＞０である。
すなわち、他のＩＧＢＴチップとの距離の合計値が最も小さいＩＧＢＴチップは、ＩＧＢＴチップ２ｂ、２ｅである。
【００２５】
従って、本実施の形態においては、他のＩＧＢＴチップから伝播される熱量の合計値が最も大きいＩＧＢＴチップは、ＩＧＢＴチップ２ｂ、２ｅである。このため、ＩＧＢＴチップ２ａ、２ｃ、２ｄ、２ｆの温度上昇量よりもＩＧＢＴチップ２ｂ、２ｅの温度上昇量の方が大きくなりやすい。
【００２６】
そこで、本実施の形態においては、冷却装置４によって、ＩＧＢＴチップ２ａ、２ｃ、２ｄ、２ｆよりもＩＧＢＴチップ２ｂ、２ｅを強力に冷却するようにした。以下、本実施の形態の冷却装置４を具体的に説明する。
【００２７】
図２はこの発明の実施の形態１における半導体モジュールの冷却装置の縦断面図である。
図２において、７は第１冷却層である。この第１冷却層７は、平板状に形成される。この第１冷却層７は、水平投影面上でベース体１全体と重なるように、ベース体１と平行に配置される。この第１冷却層７内には、冷媒が流れている。
【００２８】
この第１冷却層７中央の直下には、第２冷却層８が配置される。この第２冷却層８は、平板状に形成される。この第２冷却層８は、第１冷却層７と平行に配置される。この第２冷却層８は、ＩＧＢＴチップ２ａ、２ｃ、２ｄ、２ｆへの近接を避けた状態で、ＩＧＢＴチップ２ｂ、２ｅに近接して配置される。具体的には、第２冷却層８は、ＩＧＢＴチップ２ｂ、２ｅの直下に配置される。この第２冷却層８内にも、冷媒が流れている。
【００２９】
次に、冷却装置４による半導体モジュールの冷却について説明する。
上記構成の冷却装置４においては、第１冷却層７は、水平投影面上でベース体１全体と重なるように配置される。従って、第１冷却層７単体が配置されている場合、第１冷却層７内の冷媒によって、ベース体１が均一に冷却される。この冷却により、ＩＧＢＴチップ２ａ〜２ｆが均一に冷却される。このため、第１冷却層７単体による各ＩＧＢＴチップ２ａ〜２ｆの温度上昇の抑制量は均一となる。
【００３０】
しかしながら、上述したように、本実施の形態においては、ＩＧＢＴチップ２ａ、２ｃ、２ｄ、２ｆの温度上昇量よりもＩＧＢＴチップ２ｂ、２ｅの温度上昇量の方が大きくなりやすくなっている。このため、第１冷却層７単体による各ＩＧＢＴチップ２ａ〜２ｆの温度上昇の抑制だけでは、ＩＧＢＴチップ２ａ、２ｃ、２ｄ、２ｆの温度よりもＩＧＢＴチップ２ｂ、２ｅの温度の方が高くなる。
【００３１】
本実施の形態においては、第１冷却層７の他に第２冷却層８も設けられている。この第２冷却層８は、ＩＧＢＴチップ２ａ、２ｃ、２ｄ、２ｆへの近接を避けた状態でＩＧＢＴチップ２ｂ、２ｅに近接して配置されている。このため、第２冷却層８内の冷媒は、第１冷却層７のＩＧＢＴチップ２ａ、２ｃ、２ｄ、２ｆ近傍よりもＩＧＢＴチップ２ｂ、２ｅ近傍を強力に冷却する。この冷却により、ベース体１の両側よりも中央が強力に冷却される。この冷却により、ＩＧＢＴチップ２ａ、２ｃ、２ｄ、２ｆよりもＩＧＢＴチップ２ｂ、２ｅの方が強力に冷却される。
【００３２】
すなわち、本実施の形態においては、ＩＧＢＴチップ２ａ、２ｃ、２ｄ、２ｆよりもＩＧＢＴチップ２ｂ、２ｅの方が自らの発熱による温度上昇を抑制される。さらに、ＩＧＢＴチップ２ａ、２ｃ、２ｄ、２ｆよりもＩＧＢＴチップ２ｂ、２ｅの方が他のＩＧＢＴチップから伝播される熱量による温度上昇を抑制される。その結果、全てのＩＧＢＴチップ２ａ〜２ｆの温度上昇量が均一となる。これにより、全てのＩＧＢＴチップ２ａ〜２ｆの温度が均一となる。
【００３３】
以上で説明した実施の形態１によれば、第２冷却層８によってＩＧＢＴチップ２ｂ、２ｅが強力に冷却される。この冷却により、ＩＧＢＴチップ２ｂ、２ｅに対して、他のＩＧＢＴチップから伝播される熱量による温度上昇の抑制量が最も大きくなる。これにより、全てのＩＧＢＴチップ２ａ〜２ｆの温度を均一にすることができる。また、ＩＧＢＴチップ２ｂ、２ｅの破壊を防止することができる。その結果、全てのＩＧＢＴチップ２ａ〜２ｆは長期にわたり十分な性能を発揮することができる。さらに、全てのＩＧＢＴチップ２ａ〜２ｆの温度の均一化により、半導体モジュール全体の消費電力を低減することができる。
【００３４】
また、本実施の形態においては、冷却装置４の第２冷却層８の配置を考慮するだけで、全てのＩＧＢＴチップ２ａ〜２ｆの温度を均一にすることができる。具体的には、冷却装置４の第２冷却層８を、ＩＧＢＴチップ２ａ、２ｃ、２ｄ、２ｆへの近接を避けた状態でＩＧＢＴチップ２ｂ、２ｅに近接して配置するだけでよい。このため、簡単な構成で、全てのＩＧＢＴチップ２ａ〜２ｆの温度を均一にすることができる。
【００３５】
なお、実施の形態１においては、ＩＧＢＴチップ２ａ〜２ｃの列とＩＧＢＴチップ２ｄ〜２ｆの列が形成されている場合で説明した。しかしながら、ＩＧＢＴチップの総数や列の数を限定する必要はない。すなわち、他のＩＧＢＴチップとの距離の合計値が小さいＩＧＢＴチップほど、他のＩＧＢＴチップから伝播される熱量による温度上昇の抑制量が大きくなるように冷却してもよい。この場合も、全てのＩＧＢＴチップの温度を均一にすることができる。
【００３６】
実施の形態２．
図３はこの発明の実施の形態２における半導体モジュールの冷却装置の縦断面図である。なお、実施の形態１と同一又は相当部分には同一符号を付して説明を省略する。
【００３７】
実施の形態１では、冷却装置４の第１冷却層７及び第２冷却層８は平板状に形成されていた。このため、実施の形態１では、第１冷却層７への冷媒の流入圧力が低いと、冷媒が第１冷却層７のＩＧＢＴチップ２ａ〜２ｃ側まで到達せずに流出する。また、第２冷却層８への冷媒の流入圧力が低いと、冷媒がＩＧＢＴチップ２ｂ側まで到達せずに流出する。
【００３８】
この場合、第１冷却層７のＩＧＢＴチップ２ａ〜２ｃ側では、ＩＧＢＴチップ２ａ〜２ｃの発熱によって温まった冷媒がその場に滞留する。また、第２冷却層８のＩＧＢＴチップ２ｂ近傍では、ＩＧＢＴチップ２ｂの発熱によって温まった冷媒がその場に滞留する。これらの滞留により、ＩＧＢＴチップ２ｂが設定通りに冷却されない場合がある。
【００３９】
一方、実施の形態２では、冷却装置９の第１冷却層１０は、図３に示すように、ベース体１のＩＧＢＴチップ２ｄ〜２ｆ側長縁部近傍とＩＧＢＴチップ２ａ〜２ｃ側長縁部近傍との間を行き来するように、水平投影面上で蛇行して形成される。また、実施の形態２の冷却装置９の第２冷却層１１は、ＩＧＢＴチップ２ｂ近傍とＩＧＢＴチップ２ｅ近傍との間を行き来するように、水平投影面上で蛇行して形成される。
【００４０】
本実施の形態においては、第１冷却層１０に流入された冷媒は、ベース体１の下方で、ＩＧＢＴチップ２ｄ〜２ｆ側とＩＧＢＴチップ２ａ〜２ｃ側とを行き来するように、第１冷却層１０内を通過して流出する。また、第２冷却層１１に流入された冷媒は、第１冷却層１０の下方で、ＩＧＢＴチップ２ｂ近傍とＩＧＢＴチップ２ｅ近傍とを行き来するように、第２冷却層１１を通過して流出する。
【００４１】
すなわち、本実施の形態においては、第１冷却層１０のＩＧＢＴチップ２ａ〜２ｃ側に、温まった冷媒が滞留することはない。このため、ＩＧＢＴチップ２ａ〜２ｆは、第１冷却層１０によって設定通りに冷却される。また、第２冷却層１１のＩＧＢＴチップ２ｂ近傍に、温まった冷媒が滞留することはない。このため、ＩＧＢＴチップ２ｂ、２ｅは、第２冷却層１１によって設定通りに冷却される。
【００４２】
以上で説明した実施の形態２によれば、実施の形態１と同様の効果に加え、実施の形態１よりも確実にＩＧＢＴチップ２ｂを設定通りに冷却することができる。
【００４３】
実施の形態３．
図４はこの発明の実施の形態３における半導体モジュールの縦断面図である。なお、実施の形態１と同一又は相当部分には同一符号を付して説明を省略する。
実施の形態１では、ＩＧＢＴチップ２ａ〜２ｆと冷却装置４との距離は同等であった。一方、実施の形態３では、ＩＧＢＴチップ２ａ、２ｃ、２ｄ、２ｆよりもＩＧＢＴチップ２ｂ、２ｅの方が冷却装置１２に近接して配置されている。以下、本実施の形態の半導体モジュールを具体的に説明する。
【００４４】
図４では、ＩＧＢＴチップ２ａ〜２ｆ、ダイオードチップ３ａ〜３ｆの図示は省略される。図４の冷却装置１２は、冷却フィンからなる。この冷却装置１２の一面は、ベース体１の他面全面に接触する。
【００４５】
本実施の形態においては、ベース体１の一面の中央に、段差１３が形成される。この段差１３は、ベース体１の一面よりも冷却装置１２側へ凹んでいる。
【００４６】
次に、図５を用いて、ＩＧＢＴ２ａ〜２ｆ、ダイオードチップ３ａ〜３ｆの配置を説明する。
図５はこの発明の実施の形態３における半導体モジュールの平面図である。
図５に示すように、段差１３は、ベース体１の両長縁部間を繋ぐように連続的に形成される。
【００４７】
本実施の形態においては、ＩＧＢＴチップ２ａ、２ｃ、２ｄ、２ｆ、ダイオードチップ３ａ、３ｃ、３ｄ、３ｆは、段差１３の両側でベース体１の一面に配置される。一方、ＩＧＢＴチップ２ｂ、２ｅ、ダイオードチップ３ｂ、３ｅは、段差１３の底面に配置される。
【００４８】
次に、半導体モジュールに通電したときの各ＩＧＢＴチップ２ａ〜２ｆの温度について説明する。
本実施の形態においても、実施の形態１と同様に、他の半導体チップから伝播される熱量の合計値が最も大きいＩＧＢＴチップは、ＩＧＢＴチップ２ｂ、２ｅである。
【００４９】
ここで、冷却装置１２は、ベース体１の他面を均一に冷却する。この冷却力は、冷却装置１２からベース体１の一面側に離れるにつれて弱くなる。本実施の形態においては、ＩＧＢＴチップ２ａ、２ｃ、２ｄ、２ｆよりもＩＧＢＴチップ２ｂ、２ｅの方が冷却装置１２に近接している。このため、ＩＧＢＴチップ２ａ、２ｃ、２ｄ、２ｆよりもＩＧＢＴチップ２ｂ、２ｅの方が強力に冷却される。
【００５０】
すなわち、本実施の形態においても、ＩＧＢＴチップ２ａ、２ｃ、２ｄ、２ｆよりもＩＧＢＴチップ２ｂ、２ｅの方が自らの発熱による温度上昇を抑制される。さらに、ＩＧＢＴチップ２ａ、２ｃ、２ｄ、２ｆよりもＩＧＢＴチップ２ｂ、２ｅの方が他のＩＧＢＴチップから伝播される熱量による温度上昇を抑制される。その結果、全てのＩＧＢＴチップ２ａ〜２ｆの温度上昇量が均一となる。これにより、全てのＩＧＢＴチップ２ａ〜２ｆの温度が均一となる。
【００５１】
以上で説明した実施の形態３によれば、ＩＧＢＴチップ２ａ〜２ｆの配置を考慮して、ベース体１に段差１３を設けるだけで、全てのＩＧＢＴチップ２ａ〜２ｆの温度を均一にすることができる。
【００５２】
なお、実施の形態３においては、ＩＧＢＴチップ２ａ〜２ｃの列とＩＧＢＴチップ２ｄ〜２ｆの列が形成されている場合で説明した。しかしながら、ＩＧＢＴチップの総数や列の数を限定する必要はない。すなわち、他のＩＧＢＴチップとの距離の合計値が小さいＩＧＢＴチップほど、冷却装置１２に近接して配置してもよい。この場合も、全てのＩＧＢＴチップの温度を均一にすることができる。この際、複数のＩＧＢＴチップの各々と冷却装置１２との距離に応じて、ベース体１に段差を形成し、段差の底面に複数のＩＧＢＴチップを配置させればよい。
【００５３】
実施の形態４．
図６はこの発明の実施の形態４における半導体モジュールの平面図である。なお、実施の形態１と同一又は相当部分には同一符号を付して説明を省略する。
実施の形態１では、全てのＩＧＢＴチップ２ａ〜２ｆが同じ種類のものであった。一方、実施の形態４では、ベース体１中央のＩＧＢＴチップ１４ａ、１４ｂとＩＧＢＴチップ２ａ、２ｃ、２ｄ、２ｆとは異なる種類のものである。具体的には、水平投影面において、ＩＧＢＴチップ２ａ、２ｃ、２ｄ、２ｆの面積よりもＩＧＢＴチップ１４ａ、１４ｂの面積の方が広い。このため、ＩＧＢＴチップ２ａ、２ｃ、２ｄ、２ｆの熱容量よりもＩＧＢＴチップ１４ａ、１４ｂの熱容量の方が大きい。
【００５４】
また、水平投影面において、ダイオードチップ３ａ、３ｃ、３ｄ、３ｆの面積よりもベース体１中央のダイオードチップ１５ａ、１５ｂの面積の方が広い。このため、ダイオードチップ３ａ、３ｃ、３ｄ、３ｆの熱容量よりもダイオードチップ１５ａ、１５ｂの熱容量の方が大きい。
【００５５】
ここで、ＩＧＢＴチップ１４ａ、１４ｂとＩＧＢＴチップ２ａ、２ｃ、２ｄ、２ｆとは、予め設定された電流を流すときのコレクタ・エミッタ間飽和電圧ＶＣＥ（ｓａｔ）が同じとなるものの中から選定される。例えば、ＩＧＢＴチップ１４ａ、１４ｂとＩＧＢＴチップ２ａ、２ｃ、２ｄ、２ｆとは、５００Ａの電流を流すときのコレクタ・エミッタ間飽和電圧ＶＣＥ（ｓａｔ）が３Ｖとなるものの中から選定される。
【００５６】
次に、半導体モジュールに通電したときの各ＩＧＢＴチップ１４ａ、１４ｂ、２ａ、２ｂ、２ｄ、２ｆの温度について説明する。
各ＩＧＢＴチップ１４ａ、１４ｂ、２ａ、２ｂ、２ｄ、２ｆは、予め設定された電流を流すときのコレクタ・エミッタ間飽和電圧ＶＣＥ（ｓａｔ）が同じである。このため、各ＩＧＢＴチップ１４ａ、１４ｂ、２ａ、２ｂ、２ｄ、２ｆは、同じように発熱する。
【００５７】
このとき、各ＩＧＢＴチップ１４ａ、１４ｂ、２ａ、２ｃ、２ｄ、２ｆが発した熱の多くは、図６の矢印方向に伝播される。すなわち、本実施の形態においても、実施の形態１と同様に、他の半導体チップから伝播される熱量の合計値が最も大きいＩＧＢＴチップは、ＩＧＢＴチップ１４ａ、１４ｂである。
【００５８】
しかしながら、本実施の形態においては、ＩＧＢＴチップ２ａ、２ｃ、２ｄ、２ｆの熱容量よりもＩＧＢＴチップ１４ａ、１４ｂの熱容量の方が大きい。このため、ＩＧＢＴチップ２ａ、２ｃ、２ｄ、２ｆよりもＩＧＢＴチップ１４ａ、１４ｂの方が自らの発熱による温度上昇を抑制する。さらに、ＩＧＢＴチップ２ａ、２ｃ、２ｄ、２ｆよりもＩＧＢＴチップ１４ａ、１４ｂの方が他のＩＧＢＴチップから伝播される熱量による温度上昇を抑制する。その結果、全てのＩＧＢＴチップ１４ａ、１４ｂ、２ａ、２ｃ、２ｄ、２ｆの温度上昇量が均一となる。これにより、全てのＩＧＢＴチップ１４ａ、１４ｂ、２ａ、２ｃ、２ｄ、２ｆの温度が均一となる。
【００５９】
以上で説明した実施の形態４によれば、ＩＧＢＴチップ１４ａ、１４ｂ、２ａ、２ｃ、２ｄ、２ｆの配置を考慮して、ＩＧＢＴチップ１４ａ、１４ｂ、２ａ、２ｃ、２ｄ、２ｆの熱容量を選定するだけで、全てのＩＧＢＴチップ１４ａ、１４ｂ、２ａ、２ｃ、２ｄ、２ｆの温度を均一にすることができる。
【００６０】
なお、実施の形態４においては、ＩＧＢＴチップ２ａ、１４ａ、２ｃの列とＩＧＢＴチップ２ｄ、１４ｂ、２ｆの列が形成されている場合で説明した。しかしながら、ＩＧＢＴチップの総数や列の数を限定する必要はない。すなわち、他のＩＧＢＴチップとの距離の合計値が小さいＩＧＢＴチップほど、熱容量を大きくしてもよい。この場合も、全てのＩＧＢＴチップの温度を均一にすることができる。
【００６１】
実施の形態５．
図７はこの発明の実施の形態５における半導体モジュールの平面図である。なお、実施の形態１と同一又は相当部分には同一符号を付して説明を省略する。
実施の形態１の半導体モジュールは、冷却装置４を利用して、全てのＩＧＢＴチップ２ａ〜２ｆの温度の均一化を図っていた。一方、実施の形態５の半導体モジュールは、冷却装置４を利用することなく、全てのＩＧＢＴチップ２ａ〜２ｆの温度の均一化を図っている。以下、実施の形態５の半導体モジュールを具体的に説明する。
【００６２】
図７において、１６ａ〜１６ｄは、スリットである。スリット１６ａは、ＩＧＢＴチップ２ａ、ダイオードチップ３ａ側とＩＧＢＴチップ２ｂ、ダイオードチップ３ｂ側との間で、長手方向をベース体１の短縁部と平行にして形成される。スリット１６ｂは、ＩＧＢＴチップ２ｂ、ダイオードチップ３ｂ側とＩＧＢＴチップ２ｃ、ダイオードチップ３ｃ側との間で、長手方向をベース体１の短縁部と平行にして形成される。
【００６３】
スリット１６ｃは、ＩＧＢＴチップ２ｄ、ダイオードチップ３ｄ側とＩＧＢＴチップ２ｅ、ダイオードチップ３ｅ側との間で、長手方向をベース体１の短縁部と平行にして形成される。スリット１６ｄは、ＩＧＢＴチップ２ｅ、ダイオードチップ３e側とＩＧＢＴチップ２ｆ、ダイオードチップ３ｆ側との間で、長手方向をベース体１の短縁部と平行にして形成される。
【００６４】
このように構成された半導体モジュールにおいては、ＩＧＢＴチップ２ｂが発する熱は、ベース体１を介してＩＧＢＴチップ２ａに伝播される。このとき、伝播される熱は、スリット１６ａの外側を経由してＩＧＢＴチップ２ａに到達する。すなわち、スリット１６ａが形成されている箇所では、熱の伝播経路の断面積が小さくなる。このため、ＩＧＢＴチップ２ｂからＩＧＢＴチップ２ａに伝播される熱量は、スリット１６ａが形成されていない場合より減少する。
【００６５】
同様に、スリット１６ｂにより、ＩＧＢＴチップ２ｂからＩＧＢＴチップ２ｃに伝播される熱量も、スリット１６ｂが形成されていない場合より減少する。また、スリット１６ｃにより、ＩＧＢＴチップ２ｅからＩＧＢＴチップ２ｄに伝播される熱量も、スリット１６ｃが形成されていない場合より減少する。さらに、スリット１６ｄにより、ＩＧＢＴチップ２ｅからＩＧＢＴチップ２ｆに伝播される熱量も、スリット１６ｄが形成されていない場合より減少する。
【００６６】
これに対し、ＩＧＢＴチップ２ａが発する熱は、スリット１６ａの外側を経由してＩＧＢＴチップ２ｂに伝播される。さらに、ＩＧＢＴチップ２ｃが発する熱は、スリット１６ｂの外側を経由してＩＧＢＴチップ２ｂに伝播される。すなわち、スリット１６ａ、１６ｂが形成されている箇所では、熱の伝播経路の断面積が小さくなる。このため、ＩＧＢＴチップ２ａ、２ｃの双方からＩＧＢＴチップ２ｂに伝播される熱量は、スリット１６ａ、１６ｂが形成されていない場合より減少する。
【００６７】
同様に、スリット１６ｃ、１６ｄにより、ＩＧＢＴチップ２ｄ、２ｆの双方からＩＧＢＴチップ２ｅに伝播される熱量も、スリット１６ｃ、１６ｄが形成されていない場合より減少する。
【００６８】
このように、ＩＧＢＴチップ２ａ、２ｃ、２ｄ、２ｆよりもＩＧＢＴチップ２ｂ、２ｅの方が隣接したＩＧＢＴチップからの熱の伝播量を減少させている。このため、ＩＧＢＴチップ２ａ、２ｃ、２ｄ、２ｆよりもＩＧＢＴチップ２ｂ、２ｅの方が他のＩＧＢＴチップから伝播される熱量による温度上昇を抑制される。その結果、全てのＩＧＢＴチップ２ａ〜２ｆの温度上昇量が均一となる。これにより、全てのＩＧＢＴチップ２ａ〜２ｆの温度が均一となる。
【００６９】
以上で説明した実施の形態５によれば、スリット１６ａ〜１６ｄをベース体１に形成するだけで、全てのＩＧＢＴチップ２ａ〜２ｆの温度を均一にすることができる。
【００７０】
なお、実施の形態５においては、ＩＧＢＴチップ２ａ〜２ｃの列とＩＧＢＴチップ２ｄ〜２ｆの列が形成されている場合で説明した。しかしながら、ＩＧＢＴチップの総数や列の数を限定する必要はない。すなわち、列をなして配置された複数のＩＧＢＴチップをベース体１の一面に配置させ、隣接したＩＧＢＴチップの間でベース体１にスリットを形成してもよい。この場合も、全てのＩＧＢＴチップの温度を均一にすることができる。
【００７１】
実施の形態６．
図８はこの発明の実施の形態６における半導体モジュールの平面図である。なお、実施の形態１と同一又は相当部分には同一符号を付して説明を省略する。
実施の形態１においては、ＩＧＢＴチップ２ａ、２ｃ、２ｄ、２ｆよりもＩＧＢＴチップ２ｂ、２ｅの方が他のＩＧＢＴチップから伝播される熱量による温度上昇を抑制されていた。一方、実施の形態６においては、ＩＧＢＴチップ２ａ、２ｃ、２ｄ、２ｆよりもＩＧＢＴチップ２ｂ、２ｅの方が他のＩＧＢＴチップから伝播される熱量による温度上昇を抑制されるということはない。
【００７２】
ただし、実施の形態６においては、領域１７以外に配置されたＩＧＢＴチップ２ａ、２ｃ、２ｄ、２ｆよりも領域１７に配置されたＩＧＢＴチップ２ｂ、２ｅの方が自らの発熱を抑制している。
【００７３】
次に、図９及び図１０を用いて、各ＩＧＢＴチップ２ａ〜２ｆの発熱量の設定方法を説明する。
まず、図９を用いて、ＩＧＢＴチップ２ａ、２ｃ、２ｄ、２ｆ近傍の回路構成を、ＩＧＢＴチップ２ａを例に挙げて説明する。
図９はこの発明の実施の形態６における半導体モジュールに利用されるＩＧＢＴチップ近傍の回路図の第１例である。
【００７４】
図９において、１８は＋端子である。この＋端子１８は、ベース体１に設けられる。１９は−端子である。この−端子１９も、ベース体１上に設けられる。＋端子１８と−端子１９は、各ＩＧＢＴチップ２ａ〜２ｆで共用される電源端子である。この＋端子１８と−端子１９との間に、ＩＧＢＴチップ２ａと１つの抵抗２０とが直列に接続される。具体的には、＋端子１８に抵抗２０の一端が接続される。この抵抗２０の他端にＩＧＢＴチップ２ａのコレクタ端が接続される。このＩＧＢＴチップ２ａのエミッタ端に−端子１９が接続される。
【００７５】
次に、図１０を用いて、ＩＧＢＴチップ２ｂ、２ｅ近傍の回路構成を、ＩＧＢＴチップ２ｂを例に挙げて説明する。
図１０はこの発明の実施の形態６における半導体モジュールに利用されるＩＧＢＴチップ近傍の回路図の第２例である。
【００７６】
図１０においては、＋端子１８と−端子１９との間に、ＩＧＢＴチップ２ｂと２つの抵抗２０とが直列に接続される。具体的には、＋端子１８に抵抗２０の一方の一端が接続される。この抵抗２０の一方の他端に抵抗２０の他方の一端が接続される。この抵抗２０の他方の他端にＩＧＢＴチップ２ｂのコレクタ端が接続される。このＩＧＢＴチップ２ｂのエミッタ端に−端子１９が接続される。
【００７７】
このように、ＩＧＢＴチップ２ｂ、２ｅは、ＩＧＢＴチップ２ａ、２ｃ、２ｄ、２ｆよりも抵抗２０が１つ多く接続されている。つまり、ＩＧＢＴチップ２ａ、２ｃ、２ｄ、２ｆの各々に接続された１つの抵抗２０の抵抗値よりもＩＧＢＴチップ２ｂ、２ｅの各々に接続された２つの抵抗２０の合成抵抗値の方が大きくなる。
【００７８】
このため、＋端子１８と−端子１９との間に電圧が供給された場合、ＩＧＢＴチップ２ａ、２ｃ、２ｄ、２ｆに流れる電流の値よりもＩＧＢＴチップ２ｂ、２ｅに流れる電流の値の方が小さくなる。従って、ＩＧＢＴチップ２ａ、２ｃ、２ｄ、２ｆよりもＩＧＢＴチップ２ｂ、２ｅの方が自らの発熱量を小さくする。
【００７９】
次に、半導体モジュールに通電したときの各ＩＧＢＴチップ２ａ〜２ｆの温度について説明する。
本実施の形態においても、実施の形態１と同様に、他の半導体チップから伝播される熱量の合計値が最も大きいＩＧＢＴチップは、ＩＧＢＴチップ２ｂ、２ｅである。
【００８０】
しかしながら、本実施の形態においては、ＩＧＢＴチップ２ａ、２ｃ、２ｄ、２ｆよりもＩＧＢＴチップ２ｂ、２ｅの方が自らの発熱量を小さくしている。その結果、全てのＩＧＢＴチップ２ａ〜２ｆにおいて、自らの発熱と他のＩＧＢＴチップから伝播される熱による温度上昇量が均一となる。これにより、全てのＩＧＢＴチップ２ａ〜２ｆの温度が均一となる。
【００８１】
以上で説明した実施の形態６によれば、ＩＧＢＴチップ２ａ〜２ｆの配置を考慮して、ＩＧＢＴチップ２ａ〜２ｆの抵抗２０を選定するだけで、全てのＩＧＢＴチップ２ａ〜２ｆの温度を均一にすることができる。
【００８２】
なお、実施の形態６においては、ＩＧＢＴチップ２ａ〜２ｃの列とＩＧＢＴチップ２ｄ〜２ｆの列が形成されている場合で説明した。しかしながら、ＩＧＢＴチップの総数や列の数を限定する必要はない。すなわち、他のＩＧＢＴチップとの距離の合計値が小さいＩＧＢＴチップに接続された抵抗ほど、抵抗値を大きくしてもよい。この場合も、全てのＩＧＢＴチップの温度を均一にすることができる。
【００８３】
実施の形態７．
図１１はこの発明の実施の形態７における半導体モジュールの平面図である。なお、実施の形態１と同一又は相当部分には同一符号を付して説明を省略する。
実施の形態１では、ＩＧＢＴチップ２ａ〜２ｃやＩＧＢＴチップ２ｄ〜２ｆは、列をなして配置されていた。一方、実施の形態７では、ＩＧＢＴチップ２ａ〜２ｆは、同心円状に均等間隔に配置される。そして、実施の形態７では、ベース体２１は、水平投影面上で環状に形成される。この環状の一面に、ＩＧＢＴチップ２ａ〜２ｆが配置される。また、ダイオードチップ３ａ〜３ｆは、ＩＧＢＴチップ２ａ〜２ｆに近接してＩＧＢＴチップ２ａ〜２ｆと同心円状に均等間隔でベース体２１の一面に配置される。
【００８４】
次に、半導体モジュールに通電したときの各ＩＧＢＴチップ２ａ〜２ｆの温度について説明する。
本実施の形態においては、全てのＩＧＢＴチップ２ａ〜２ｆは、ベース体２１中心に対して同心円状に均等間隔で配置される。このため、全てのＩＧＢＴチップ２ａ〜２ｆに対し、他のＩＧＢＴチップから伝播される熱量の総伝播経路は同等となる。
【００８５】
従って、全てのＩＧＢＴチップ２ａ〜２ｆは、他のＩＧＢＴチップから伝播される熱量の合計値は同じとなる。その結果、全てのＩＧＢＴチップ２ａ〜２ｆの温度上昇量が均一となる。これにより、全てのＩＧＢＴチップ２ａ〜２ｆの温度が均一となる。
【００８６】
以上で説明した実施の形態７によれば、ＩＧＢＴチップ２ａ〜２ｆの配置を考慮するだけで、全てのＩＧＢＴチップ２ａ〜２ｆの温度を均一にすることができる。
【００８７】
なお、実施の形態７においては、６個のＩＧＢＴチップ２ａ〜２ｆを同心円状に均等間隔で配置した。しかしながら、ＩＧＢＴチップの総数を限定する必要はない。すなわち、複数のＩＧＢＴチップを同心円状に均等間隔で配置してもよい。この場合も、全てのＩＧＢＴチップの温度の均一にすることができる。
【００８８】
実施の形態８．
図１２はこの発明の実施の形態８における半導体モジュールの平面図である。なお、実施の形態７と同一又は相当部分には同一符号を付して説明を省略する。
実施の形態７のベース体２１は、水平投影面上で環状になるように形成されていた。一方、実施の形態８のベース体２２は、水平投影面上で六角形となるように形成されている。そして、ＩＧＢＴチップ２ａ〜２ｆは、ベース体２２の一面の各縁部近傍でベース体２２中心に対して同心円状に均等間隔で配置される。さらに、ダイオードチップ３ａ〜３ｆは、ＩＧＢＴチップ２ａ〜２ｆのベース体２２中心側に近接してベース体２２中心に対して同心円状に均等間隔でベース体２２の一面に配置される。
【００８９】
本実施の形態においても、実施の形態７と同様に、全てのＩＧＢＴチップ２ａ〜２ｆは、ベース体２２中心に対して同心円状に均等間隔で配置される。このため、全てのＩＧＢＴチップ２ａ〜２ｆに対し、他のＩＧＢＴチップから伝播される熱量の総伝播経路は同等となる。
【００９０】
従って、全てのＩＧＢＴチップ２ａ〜２ｆは、他のＩＧＢＴチップから伝播される熱量の合計値は同じとなる。その結果、全てのＩＧＢＴチップ２ａ〜２ｆの温度上昇量が均一となる。これにより、全てのＩＧＢＴチップ２ａ〜２ｆの温度が均一となる。
【００９１】
以上で説明した実施の形態８によれば、実施の形態７と同様に、ＩＧＢＴチップ２ａ〜２ｆの配置を考慮するだけで、全てのＩＧＢＴチップ２ａ〜２ｆの温度を均一にすることができる。また、ベース体２２の平行な外縁部をベース体２２中心側に押さえ込むだけで、ベース体２２の回転を防止することができる。
【００９２】
なお、実施の形態８においては、６個のＩＧＢＴチップ２ａ〜２ｆを同心円状に均等間隔で配置した。しかしながら、ＩＧＢＴチップの総数を限定する必要はない。すなわち、ＩＧＢＴチップの数に応じた数の外縁部を有する多角形状のベース体を形成し、ベース体の各外縁部近傍の一面に複数のＩＧＢＴチップの各々を同心円状に均等間隔で配置してもよい。この場合も、全てのＩＧＢＴチップの温度を均一にすることができる。
【００９３】
また、実施の形態１〜実施の形態８においては、ＩＧＢＴチップ間の熱干渉のみを考慮して、ＩＧＢＴチップの温度の均一化を図った。しかしながら、ＩＧＢＴチップ２ａ等の発熱とともにダイオードチップ３ａ等の発熱も考慮して、ＩＧＢＴチップの温度の均一化を図ってもよい。
【００９４】
さらに、温度の均一化を図るチップをＩＧＢＴチップに限定する必要はない。例えば、温度上昇により性能劣化する半導体チップに対して、全ての半導体チップの温度の均一化を図ってもよい。この場合、実施の形態１〜８のＩＧＢＴチップ２ａ等に変えて、温度の均一化を図る半導体チップを配置すればよい。これにより、半導体チップの故障を抑制することができる。その結果、半導体チップは長期にわたり十分な性能を発揮することができる。
【符号の説明】
【００９５】
１  ベース体
２ａ〜２ｆ  ＩＧＢＴチップ
３ａ〜３ｆ  ダイオードチップ
４  冷却装置
５  入口
６  出口
７  第１冷却層
８  第２冷却層
９  冷却装置
１０  第１冷却層
１１  第２冷却層
１２  冷却装置
１３  段差
１４ａ、１４ｂ  ＩＧＢＴチップ
１５ａ、１５ｂ  ダイオードチップ
１６ａ〜１６ｄ  スリット
１７  領域
１８  ＋端子
１９  −端子
２０  抵抗
２１  ベース体
２２  ベース体
【図１】
2011243808.tif 000003
【図２】
2011243808.tif 000004
【図３】
2011243808.tif 000005
【図４】
2011243808.tif 000006
【図５】
2011243808.tif 000007
【図６】
2011243808.tif 000008
【図７】
2011243808.tif 000009
【図８】
2011243808.tif 000010
【図９】
2011243808.tif 000011
【図１０】
2011243808.tif 000012
【図１１】
2011243808.tif 000013
【図１２】
2011243808.tif 000014